(57)【要約】      （修正有）【課題】覆い部がありながら、弁体を取り外して、弁体を交換したり通気路を清掃したりすることができる、排気弁を提供する。【解決手段】排気弁３は、立上り管の上方開口部を塞ぐ蓋体２の貫通孔２ａに固定される固定部と、貫通孔２ａを介して蓋体２の表裏を連通する通気路６と、弁体７と、覆い部８とを、備える。弁体７は、蓋体２の表側の面である上面２ｂよりも上方で、通気路６を閉鎖するとともに排水管路からの増加した圧力を受けて開口動作して通気路６を開放する。覆い部８は、蓋体２の表側において弁体７の上面側を覆う。そこで、弁体７は、蓋体２の裏側から着脱可能となっている。【選択図】図２
2015169214.tif 000002
【特許請求の範囲】
【請求項１】
排水管路に繋がる立上り管の上方開口部を塞ぐ蓋体に形成された貫通孔に固定される、排気弁であって、
前記貫通孔に固定される固定部と、
前記貫通孔を介して前記蓋体の表裏を連通する通気路と、
前記蓋体の表側の面である上面よりも上方で、前記通気路を閉鎖するとともに前記排水管路からの増加した圧力を受けて開口動作して前記通気路を開放する弁体と、
前記蓋体の表側において前記弁体の上面側を覆い側方に前記通気路を外部に連通させる排気口が設けられた覆い部とを、備え、
前記弁体は、前記蓋体の裏側から着脱可能である、排気弁。
【請求項２】
前記排気弁は、本体と、弁体ユニットとを備え、
前記本体は、中空筒状に形成されて前記貫通孔に嵌められる本体筒部と、その本体筒部から延設される前記覆い部とを備えて、前記本体筒部は、その外面に、前記貫通孔に固着される固着面からなる前記固定部を有し、
前記弁体ユニットは、前記弁体と、その弁体を支持するとともにその弁体と分離可能な弁支持体とを備え、前記蓋体に固定された前記本体の内側に、前記蓋体の裏側から挿入されるようにして着脱可能に取り付けられる、請求項１に記載の排気弁。
【請求項３】
前記弁支持体は、内部が前記通気路を構成するよう中空筒状に形成された支持体筒部と、その支持体筒部の内側に架設されて前記弁体を支持する架設部とを有する、請求項２に記載の排気弁。
【請求項４】
前記弁体は、軟質材料により形成され、前記弁支持体に一部が固定されるようにして支持されて、自身の撓み変形により開口動作する、請求項２または３に記載の排気弁。
【請求項５】
前記本体筒部には、前記蓋体の上面における前記貫通孔周縁に掛け止まる掛止部が張り出すように設けられる、請求項２ないし４のいずれか１項に記載の排気弁。
【請求項６】
前記弁体は、前記弁支持体に支持される軸状の被支持部と、その被支持部から広がって形成されて下面が前記弁支持体の上面に当接して前記通気路を閉鎖する閉塞部とを有する、請求項２ないし５のいずれか１項に記載の排気弁。
【請求項７】
排水管路に繋がる立上り管の上方開口部を塞ぐ蓋体と、
前記蓋体の表裏を連通する通気路と、
前記蓋体の表側の面である上面よりも上方で、前記通気路を閉鎖するとともに前記排水管路からの増加した圧力を受けて開口動作して前記通気路を開放する弁体と、
前記蓋体の表側において前記弁体の上面側を覆い側方に前記通気路を外部に連通させる排気口が設けられた覆い部とを、備え、
前記弁体は、前記蓋体の裏側から着脱可能である、排気弁装置。
【発明の詳細な説明】
【技術分野】
【０００１】
この発明は、排水管路に繋がる立上り管の上方開口部に設けられる、排気弁および排気弁装置に関するものである。
【背景技術】
【０００２】
従来、地中に埋設された排水管路に繋がる立上り管を塞ぐ蓋体においては、何らかの原因で排水管路の圧力が増加した場合に備えて、その圧力を逃がす空気抜き体が設けられることがあった（例えば、特許文献１参照）。図９に示すように、この空気抜き体２２は、蓋体２１の貫通孔２１ａに接着固定されるものであって、扁平状の本体部２３と、その本体部２３から下方に延設されて貫通孔２１ａに挿入される管部２４とから構成された。そして、この空気抜き体２２には、管部２４の下端から本体部２３の側面に渡って通気路２５が形成され、通気路２５には、その通気路２５を開閉するための弁体２６が設けられた。ここで、空気抜き体２２は、弁体２６の上面側を覆う覆い部２２ａを有しており、この覆い部２２ａにより、弁体２６を保護することができた。
【先行技術文献】
【特許文献】
【０００３】
【特許文献１】特開平９−３２８７９３号公報
【発明の概要】
【発明が解決しようとする課題】
【０００４】
ところで、前記従来の空気抜き体２２（排気弁）にあっては、弁体２６が設けられるものの、弁体２６の上面側を覆う覆い部２２ａを有するため、弁体２６を取り外すことができず、弁体２６の交換や通気路２５の清掃が困難となっていた。
【０００５】
この発明は、上記した従来の欠点を解決するためになされたものであり、その目的とするところは、覆い部がありながら、弁体を取り外して、弁体を交換したり通気路を清掃したりすることができる、排気弁および排気弁装置を提供することにある。
【課題を解決するための手段】
【０００６】
この発明に係る排気弁および排気弁装置は、前記目的を達成するために、次の構成からなる。すなわち、
請求項１に記載の発明に係る排気弁は、排水管路に繋がる立上り管の上方開口部を塞ぐ蓋体に形成された貫通孔に固定される、排気弁であって、前記貫通孔に固定される固定部と、前記貫通孔を介して前記蓋体の表裏を連通する通気路と、弁体と、覆い部とを、備える。ここで、前記弁体は、前記蓋体の表側の面である上面よりも上方で、前記通気路を閉鎖するとともに前記排水管路からの増加した圧力を受けて開口動作して前記通気路を開放するものである。そして、前記覆い部は、前記蓋体の表側において前記弁体の上面側を覆い、その覆い部には、側方に前記通気路を外部に連通させる排気口が設けられる。そこで、前記弁体は、前記蓋体の裏側から着脱可能となっている。
【０００７】
この排気弁によると、排気弁は、立上り管の上方開口部を塞ぐ蓋体の貫通孔に固定される。そして、排気弁は、貫通孔を介して蓋体の表裏を連通する通気路と、その通気路を閉鎖したり開放したりする弁体と、その弁体の上面側を覆う覆い部とを備えている。ここで、弁体は、蓋体の上面よりも上方で、通気路を閉鎖したり開放したりするため、通気路が開放する場合であっても、蓋体の内側に雨水が浸入し難い。そして、弁体は、蓋体の裏側から着脱可能となっているため、蓋体を立上り管から持ち上げて外し、弁体を蓋体の裏側から取り外すことができる。
【０００８】
また、請求項２に記載の発明に係る排気弁は、請求項１に記載の排気弁において、前記排気弁は、本体と、弁体ユニットとを備える。ここで、前記本体は、中空筒状に形成されて前記貫通孔に嵌められる本体筒部と、その本体筒部から延設される前記覆い部とを備える。そして、前記本体筒部は、その外面に、前記貫通孔に固着される固着面からなる前記固定部を有する。また、前記弁体ユニットは、前記弁体と、その弁体を支持するとともにその弁体と分離可能な弁支持体とを備え、前記蓋体に固定された前記本体の内側に、前記蓋体の裏側から挿入されるようにして着脱可能に取り付けられる。この排気弁によると、弁体を取り外すにあたっては、蓋体を立上り管から持ち上げて外し、弁体を弁体ユニットごと蓋体の裏側から取り外す。そして、この弁体ユニットにおいて、弁体を弁支持体から分離することで、弁体を取り外すことができる。
【０００９】
また、請求項３に記載の発明に係る排気弁は、請求項２に記載の排気弁において、前記弁支持体は、内部が前記通気路を構成するよう中空筒状に形成された支持体筒部と、その支持体筒部の内側に架設されて前記弁体を支持する架設部とを有する。
【００１０】
また、請求項４に記載の発明に係る排気弁は、請求項２または３に記載の排気弁において、前記弁体は、軟質材料により形成され、前記弁支持体に一部が固定されるようにして支持されて、自身の撓み変形により開口動作する。
【００１１】
また、請求項５に記載の発明に係る排気弁は、請求項２ないし４のいずれか１項に記載の排気弁において、前記本体筒部には、前記蓋体の上面における前記貫通孔周縁に掛け止まる掛止部が張り出すように設けられる。
【００１２】
また、請求項６に記載の発明に係る排気弁は、請求項２ないし５のいずれか１項に記載の排気弁において、前記弁体は、前記弁支持体に支持される軸状の被支持部と、その被支持部から広がって形成されて下面が前記弁支持体の上面に当接して前記通気路を閉鎖する閉塞部とを有する。
【００１３】
また、請求項７に記載の発明に係る排気弁装置は、排水管路に繋がる立上り管の上方開口部を塞ぐ蓋体と、前記蓋体の表裏を連通する通気路と、弁体と、覆い部とを、備える。ここで、前記弁体は、前記蓋体の表側の面である上面よりも上方で、前記通気路を閉鎖するとともに前記排水管路からの増加した圧力を受けて開口動作して前記通気路を開放するものである。そして、前記覆い部は、前記蓋体の表側において前記弁体の上面側を覆い、その覆い部には、側方に前記通気路を外部に連通させる排気口が設けられる。そこで、前記弁体は、前記蓋体の裏側から着脱可能となっている。
【００１４】
この排気弁装置によると、排気弁装置は、立上り管の上方開口部を塞ぐ蓋体と、蓋体の表裏を連通する通気路と、その通気路を閉鎖したり開放したりする弁体と、その弁体の上面側を覆う覆い部とを備えている。ここで、弁体は、蓋体の上面よりも上方で、通気路を閉鎖したり開放したりするため、通気路が開放する場合であっても、蓋体の内側に雨水が浸入し難い。そして、弁体は、蓋体の裏側から着脱可能となっているため、蓋体を立上り管から持ち上げて外し、弁体を蓋体の裏側から取り外すことができる。
【発明の効果】
【００１５】
この発明に係る排気弁および排気弁装置によれば、弁体が蓋体の裏側から着脱可能となっているため、覆い部がありながら、弁体を取り外して、弁体を交換したり通気路を清掃したりすることができる。
【図面の簡単な説明】
【００１６】
【図１】この発明の一実施の形態の、全体を示す縦断面図である。
【図２】同じく、通気路が閉鎖された状態を示す、縦断面図である。
【図３】同じく、通気路が開放された状態を示す、縦断面図である。
【図４】同じく、排気弁の斜視図である。
【図５】同じく、弁体ユニットの縦断面図である。
【図６】同じく、弁体ユニットの斜視図である。
【図７】同じく、弁支持体の斜視図である。
【図８】同じく、弁体の斜視図である。
【図９】従来の空気抜き体を示す縦断面図である。
【発明を実施するための形態】
【００１７】
以下、この発明に係る排気弁および排気弁装置を実施するための形態を図面に基づいて説明する。
【００１８】
図１〜図８は、本発明の一実施の形態を示す。図中符号１は、地中に埋設される排水管路（図示せず）に繋がる立上り管を示し、この立上り管１は、例えば、家屋の排水設備と下水本管とを繋ぐ排水管路に対し、その排水管路に繋がる排水枡等からなる。２は、前記立上り管１の上方開口部を塞ぐ蓋体を示す。３は、前記蓋体２に形成された貫通孔２ａに固定される排気弁を示す。４は、排気弁装置を示す。
【００１９】
排気弁３は、蓋体２の貫通孔２ａに固定される固定部５と、通気路６と、弁体７と、覆い部８とを、備える。そして、排気弁装置４は、前記蓋体２と、通気路６と、弁体７と、覆い部８とを、備える。
【００２０】
ここで、通気路６は、蓋体２の表裏を連通（詳しくは、蓋体２の貫通孔２ａを介して蓋体２の表裏を連通）する。弁体７は、蓋体２の表側の面である上面２ｂよりも上方で、通気路６を閉鎖するとともに（図２参照）排水管路からの増加した圧力を受けて開口動作して通気路６を開放する（図３参照）。覆い部８は、蓋体２の表側において弁体７の上面側を覆い、その覆い部８には、側方に通気路６を外部に連通させる排気口８ａが設けられる。そこで、前記弁体７は、蓋体２の裏側から着脱可能となっている。
【００２１】
詳細には、排気弁３は、本体９と、弁体ユニット１０とを備える。ここにおいて、本体９は、中空筒状に形成されて蓋体２の貫通孔２ａに嵌められる本体筒部９ａと、その本体筒部９ａから延設される前記覆い部８とを備える。そして、本体筒部９ａは、その外面に、蓋体２の貫通孔２ａに接着などで固着される固着面からなる前記固定部５を有する。一方、弁体ユニット１０は、前記弁体７と、その弁体７を支持するとともにその弁体７と分離可能な弁支持体１１とを備え、蓋体２（詳しくは、貫通孔２ａ）に固定された本体９の内側に、蓋体２の裏側から挿入されるようにして着脱可能に取り付けられる。
【００２２】
具体的には、図１に示すように、蓋体２は、受け枠１２を介して、立上り管１の上方開口部に取り付けられる。ここで、受け枠１２は、例えば、環状に形成されて円筒形状の立上り管１の上端に、接着等により固定される。この受け枠１２は、立上り管１に嵌められる第１枠部１２ａと、その第１枠部１２ａよりも径大となって上方に延びる第２枠部１２ｂとを備える。そして、受け枠１２は、第１枠部１２ａから第２枠部１２ｂに移る内側の段部が、蓋体２が載せられる受け面１２ｃとなっている。
【００２３】
蓋体２は、盤状に形成されて、受け枠１２内を、貫通孔２ａを残して塞ぐものであり、受け枠１２に挿入されて、受け面１２ｃに載せられる（図１参照）。貫通孔２ａは、蓋体２の中央に位置し、蓋体２を上下に貫通する。この貫通孔２ａは、貫通孔２ａのない既存の蓋体２に対し、ドリル等の切削工具によりあけられるが、初めから蓋体２に設けられていてもよい。また、蓋体２は、受け枠１２の第１枠部１２ａと対向するように下方に延びる延出部２ｃを有する。そして、その延出部２ｃと第１枠部１２ａとの間に封止用パッキン１３が設けられる。
【００２４】
排気弁３においては、本体９は、その本体筒部９ａに、蓋体２の上面２ｂにおける貫通孔２ａ周縁に掛け止まる掛止部９ｂがリング状に張り出すように設けられる。そして、本体筒部９ａには、係止部９ｃが、本体筒部９ａの内面に凹状に窪んで形成される。覆い部８は、天壁８ｂと、その天壁８ｂの周縁と本体筒部９ａの上端とを繋ぐ連結壁８ｃとを備える。そして、この連結壁８ｃに、前記排気口８ａ（図示実施の形態においては、複数の排気口８ａ、８ａ）が設けられる。
【００２５】
弁支持体１１は、内部が前記通気路６を構成するように中空筒状に形成された支持体筒部１１ａと、その支持体筒部１１ａの内側に架設されて弁体７を支持する架設部１１ｂとを有する。ここで、支持体筒部１１ａの上端面が、弁体７が当接する座面１１ｃとなり、この座面１１ｃが、蓋体２の上面２ｂよりも上方に位置する。そして、支持体筒部１１ａには、被係止部１１ｄが、支持体筒部１１ａの外面に突出形成され、この被係止部１１ｄを、本体９の係止部９ｃが係止することで、弁支持体１１、つまりは弁体ユニット１０は、本体９から下方に抜け出ないように保持される。詳細には、支持体筒部１１ａには、被係止部１１ｄを挟むように、縦に、下端に達するスリット１１ｅ、１１ｅが設けられ、それらスリット１１ｅ、１１ｅ間が弾性片１１ｆとなっている。そして、その弾性片１１ｆの下部に、前記被係止部１１ｄが設けられる。そこで、この弾性片１１ｆの撓み変形により、弁支持体１１（つまり、弁体ユニット１０）は、本体９に対し着脱可能となる。
【００２６】
また、支持体筒部１１ａの外面と本体筒部９ａの内面との間には、気密パッキン１４が設けられる。詳細には、支持体筒部１１ａには、その外面にリング状の溝１１ｇが形成され、その溝１１ｇに気密パッキン１４が嵌め込まれて保持される。
【００２７】
架設部１１ｂは、支持体筒部１１ａの中心部分に位置する基部１１ｈと、その基部１１ｈから放射状に延びて支持体筒部１１ａの内面に渡される架設片１１ｉ（図示実施の形態においては、複数例えば４本の架設片１１ｉ、１１ｉ）とを有する（図７参照）。そこで、基部１１ｈに、弁体７を支持する支持孔１１ｊがあけられる。
【００２８】
弁体７は、弁支持体１１に支持される軸状の被支持部７ａと、その被支持部７ａから広がって形成されて下面が弁支持体１１の上面に当接して前記通気路６を閉鎖する閉塞部７ｂとを有する。図示実施の形態においては、弁体７の被支持部７ａが、弁支持体１１における支持孔１１ｊに上から挿入されて、弁体７は、弁支持体１１に支持される。そして、被支持部７ａを支持孔１１ｊから抜き出すことで、弁体７は、弁支持体１１から分離する。また、弁体７の閉塞部７ｂは、円形平板状に形成され、下面（詳しくは、閉塞部７ｂにおける周縁部の下面）が弁支持体１１の上面（詳しくは、前述の座面１１ｃ）に当接することで、通気路６を閉鎖する。
【００２９】
詳細には、弁体７は、ゴムとか軟質樹脂等の軟質材料により形成され、弁支持体１１に一部が固定されるようにして支持されて、自身の撓み変形により開口動作する。図示実施の形態においては、弁体７の被支持部７ａには、弁支持体１１における支持孔１１ｊの下端周縁に係合する係合突起７ｃが設けられており、この係合突起７ｃにより、被支持部７ａは、支持孔１１ｊに固定される。こうして、弁体７は、その一部となる被支持部７ａが弁支持体１１の支持孔１１ｊに固定され、閉塞部７ｂは、排水管路からの増加した圧力を受けて、外周側が上方に変位するように撓み変形、つまり開口動作する（図３参照）。なお、弁体７を弁支持体１１に対し、取り付けたり外したりする際には、被支持部７ａを、支持孔１１ｊに対して引っ張ったり押し込んだりして、被支持部７ａや係合突起７ｃを変形させることで、係合突起７ｃが支持孔１１ｊを通過する。
【００３０】
次に、以上の構成からなる排気弁３および排気弁装置４の作用効果について説明する。排気弁３は、立上り管１の上方開口部を塞ぐ蓋体２の貫通孔２ａに固定される。そして、排気弁３は、貫通孔２ａを介して蓋体２の表裏を連通する通気路６と、その通気路６を閉鎖したり開放したりする弁体７と、その弁体７の上面側を覆う覆い部８とを備えている。一方、排気弁装置４は、立上り管１の上方開口部を塞ぐ蓋体２と、蓋体２の表裏を連通する通気路６と、その通気路６を閉鎖したり開放したりする弁体７と、その弁体７の上面側を覆う覆い部８とを備えている。
【００３１】
そこで、排水管路、そして立上り管１内の圧力が、何らかの原因で増加すると、弁体７が開口動作して、通気路６と外部とが連通し、増加した圧力を逃がすことができ、これによって、排水管路の逆流を防いだり、排水管路の流れが二重トラップ等が原因で滞るようなことを防いだり、あるいは、蓋体２が立上り管１から飛び出すのを防いだりすることができる。そして、弁体７は、覆い部８で覆われて保護されるため、その上に、物などが載ったりしても、弁体７の作動が損なわれることがない。
【００３２】
また、弁体７は、蓋体２の上面２ｂよりも上方で、通気路６を閉鎖したり開放したりする。このため、通気路６が開放する場合であっても、蓋体２の内側に雨水が浸入し難い。そして、弁体７は、蓋体２の裏側から着脱可能となっている。このため、蓋体２を立上り管１から持ち上げて外し、弁体７を蓋体２の裏側から取り外すことができる。すなわち、弁体７が蓋体２の裏側から着脱可能となっているため、覆い部８がありながら、弁体７を取り外して、弁体７を交換したり通気路６を清掃したりすることができる。
【００３３】
また、弁体７が覆い部８で覆われることから、その覆い部８によって、弁体７（詳しくは、閉塞部７ｂ）の撓み変形の量を一定範囲に制限することができる。このため、増加した圧力を受けて弁体７が開口動作した後に、圧力が減少して弁体７が復帰するとき、その復帰を確実に行うことができる。
【００３４】
また、弁体７は、弁体ユニット１０の一部として存在する。このため、弁体７を取り外すにあたっては、蓋体２を立上り管１から持ち上げて外し、弁体７を弁体ユニット１０ごと蓋体２の裏側から取り外す。そして、この弁体ユニット１０において、弁体７を弁支持体１１から分離することで、弁体７を取り外すことができる。
【００３５】
なお、本発明は、上述した実施の形態に限定されるわけではなく、その他種々の変更が可能である。例えば、立上り管１が繋がる排水管路は、家屋の排水設備と下水本管とを繋ぐ管路でなくとも、下水本管そのもの等、その他の排水管路であってもよい。
【００３６】
また、弁支持体１１は、中空筒状に形成された支持体筒部１１ａを有するが、この支持体筒部１１ａを、リング状に形成された支持体環部としてもよい。
【００３７】
また、弁体７は、閉塞部７ｂが、被支持部７ａから円形に広がって形成されるものでなくとも、例えば、弁支持体１１における隣合う架設片１１ｉ、１１ｉ間に設けられるよう、扇状に広がって形成され、それぞれの架設片１１ｉ、１１ｉ間に対し、個別に弁体７が設けられてもよい。
【００３８】
また、弁体７は、軟質材料により形成されなくとも、硬質材料により形成されて、その全体が移動することで、通気路６を閉鎖したり開放したりしてもよい。
【００３９】
また、排気弁装置４においては、本体９は、蓋体２と別体に形成されなくとも、蓋体２と一体に形成されてもよい。
【符号の説明】
【００４０】
１  立上り管
２  蓋体
２ａ  貫通孔
２ｂ  上面
３  排気弁
４  排気弁装置
５  固定部
６  通気路
７  弁体
７ａ  被支持部
７ｂ  閉塞部
８  覆い部
８ａ  排気口
９  本体
９ａ  本体筒部
９ｂ  掛止部
１０  弁体ユニット
１１  弁支持体
１１ａ  支持体筒部
１１ｂ  架設部
【図１】
2015169214.tif 000003
【図２】
2015169214.tif 000004
【図３】
2015169214.tif 000005
【図４】
2015169214.tif 000006
【図５】
2015169214.tif 000007
【図６】
2015169214.tif 000008
【図７】
2015169214.tif 000009
【図８】
2015169214.tif 000010
【図９】
2015169214.tif 000011